(57)【要約】【課題】  ＡＣインレットを備えた機器に対して、省スペースな配線と分岐配線を可能とし、ＡＣケーブルの脱落の危険の無い、信頼性の高い接続をすることができるコネクタ変換器を提供する。【解決手段】  複数の電極を備えた、ＡＣインレットに挿入するコネクタ変換器において、ＡＣインレット嵌合部と反対側に複数の端子を有する端子台を備え、コネクタ変換器とＡＣインレットを備えた機器側を固定する固定手段を備える。【選択図】        図１                
2005085561.tif 000002
【特許請求の範囲】
【請求項１】
複数の電極を備えた、ＡＣインレットに挿入するコネクタ変換器において、
前記ＡＣインレット嵌合部と反対側に複数の端子を有する端子台を備え、前記コネクタ変換器と前記ＡＣインレットを備えた機器側を固定する固定手段を備えたことを特徴とするコネクタ変換器。
【請求項２】
前記ＡＣインレットはＡＣアウトレットであることを特徴とする請求項１記載のコネクタ変換器。
【請求項３】
前記端子台が電線差込式であることを特徴とする請求項１または請求項２記載のコネクタ変換器。
【発明の詳細な説明】
【技術分野】
【０００１】
本発明は、電源を機器に供給するプラグコネクタ等のコネクタ変換器に関するものである。
【背景技術】
【０００２】
従来のＡＣインレットに挿入するプラグコネクタは直接ケーブルが接続されており、またケーブルの反対側にコンセントに接続するプラグが備えられたコードセットが一般的に用いられている。通常のプラグコネクタとＡＣインレットの組合せには特に抜け防止手段は設けられておらず、分岐配線も考慮されていない。
抜け防止手段として、プラグコネクタを固定するために、専用のロック部材が用いられることもある（例えば、特許文献１参照）。
また、分岐配線するためにはコードセットのケーブルのコンセント側を加工するか、組立式のプラグコネクタを利用して電線を接続し、その先に端子台を中継するなどの方法が必要であった。その他、分岐配線するためにはプラグコネクタにそのプラグコネクタと同じ（嵌合互換性のある）ＡＣインレットとアウトレットを備え分岐を可能にしたアタッチメント形式のものもある（例えば、特許文献２参照）。
これまで、例えばパソコン用のＡＴＸ電源等のようにＡＣインレットを電源入力のコネクタとして備えた機器を装置の筐体内に配置して、複数の機器にＡＣ電源を分岐配線する場合、図５に示すような配線方法をとらざるを得なかった。
図５において、１０９は装置であり、その内部に１０１と１０２のＡＣインレットを備えた機器を内蔵している。装置１０９には電源入力コネクタとしてＡＣインレット１０６が設けられており、これから装置内部に設けられた端子台１０５に配線される。端子台１０５によって、２つの系統に分岐され、ＡＣプラグ１０３とＡＣプラグ１０４のコードに配線される。ＡＣプラグ１０３はＡＣインレット１０１ａに接続され、機器１０１にＡＣ電源を供給する。ＡＣプラグ１０４はＡＣインレット１０２ａに接続され、機器１０２にＡＣ電源を供給する。
また、装置１０９自体もＡＣインレット１０６にＡＣコードセット１０７が接続され、ＡＣコードセット１０７の他端のプラグがＡＣコンセント１０８に接続されることにより、ＡＣ電源が供給される。
【特許文献１】特開平０６−００５３３１号公報（図１）
【特許文献２】特開平０７−２８２９２６号公報（図１）
【発明の開示】
【発明が解決しようとする課題】
【０００３】
しかしながら、このような従来技術においては、次のような問題があった。
・  図５に示す従来の分岐配線方法は、大きな配線スペースを必要とし、装置の小型化に障害となる。
・  ＡＣインレットと、ＡＣプラグまたはＡＣコードセットの組合せには抜け防止手段が設けられておらず、抜け防止を図るためには、前記特許文献１に示されるようなロック部材を用いる必要がある。しかし、このようなロック部材を使用したとしても、容易に解除できるので、メンテナンスや装置の移動の際にロックを忘れるといった人為的なミスが入り込む危険を排除できない。特に、医療機器等、人命に関わる装置の場合は万一にでもＡＣプラグの脱落は許されるものではなく、確実な接続が要求される。
本発明はこのような問題を解決するためになされたもので、ＡＣインレットを備えた機器に対して、省スペースな配線と分岐配線を可能とし、ＡＣケーブルの脱落の危険の無い、信頼性の高い接続をすることができるコネクタ変換器を提供することを目的とするものである。
【課題を解決するための手段】
【０００４】
上記問題を解決するため、本発明は、次のように構成したものである。
請求項１に記載の発明は、複数の電極を備えた、ＡＣインレットに挿入するプラグコネクタにおいて、ＡＣインレット嵌合部と反対側に端子台を備え、前記プラグコネクタとＡＣインレットを備えた機器側を固定する手段を備えたことを特徴とするものである。
このようになっているため、省スペースな配線と分岐配線をすることが可能になり、端子台により確実な配線を行うことができ、プラグコネクタを機器側に固定することにより、高い信頼性を確保することができる。
また、請求項２に記載の発明は、ＡＣアウトレットに挿入するプラグコネクタにおいて、請求項１と同様な構造と手段を持ったことを特徴とするものである。
このようになっているため、ＡＣアウトレットに関しても請求項１と同様な効果を実現することができる。
また、請求項３に記載の発明は、請求項１及び請求項２と同様な構造と手段を持ち、端子台が電線差込式であることを特徴とするものである。
このようになっているため、請求項１及び請求項２と同様な効果を実現できると共に、簡便な配線を行うことができる。
【発明の効果】
【０００５】
本発明のコネクタ変換器によれば、次のような効果がある。
・  請求項１に記載の発明によれば、ＡＣインレットを備えた機器に対して、省スペースな配線と分岐配線が可能になり、また、コネクタ変換器をＡＣインレット側にネジ止めすることにより、脱落の危険の無い信頼性の高い接続が実現できる。
・  請求項２に記載の発明によれば、ＡＣアウトレットを備えた機器に対しても、省スペースな配線と分岐配線が可能になり、また、コネクタ変換器をＡＣアウトレット側にネジ止めすることにより、脱落の危険の無い信頼性の高い接続が実現できる。
・  請求項３に記載の発明によれば、ＡＣインレット或いはＡＣアウトレットを備えた機器に対して、省スペースな配線と分岐配線が可能になり、また、コネクタ変換器をＡＣインレット或いはＡＣアウトレット側にネジ止めすることにより、脱落の危険の無い信頼性の高い接続ができ、さらに簡便な配線ができる。
【発明を実施するための最良の形態】
【０００６】
以下、本発明の実施例を図に基づいて説明する。
【実施例１】
【０００７】
図１（ａ）および図１（ｂ）は、本発明のコネクタ変換器の第１の実施例の斜視図である。
図において、コネクタ変換器本体はＡＣプラグ部１ａと端子台部１ｂから成っており、ＡＣプラグ部１ａがＡＣインレットと嵌合する。また、端子台部１ｂに対して外部からの配線が行われる。ＡＣプラグ部１ａと端子台部１ｂは一体構造となっている。電極１ｆ、電極１ｇ、電極１ｈはＡＣプラグ側の電極であり、ＡＣインレット側の電極と接触し、通電する。端子１ｃ、端子１ｄ、端子１ｅは端子台部の端子であり、端子１ｃと電極１ｆ、端子１ｄと電極１ｇ、端子１ｅと電極１ｈはそれぞれ、内部で電気的に接続されている。１ｉ及び１ｊはコネクタ変換器本体を機器側に固定するための固定穴であり、ＡＣインレットの取付ネジ穴間隔の多様なピッチに対応するために長穴になっている。
本実施例は、３極のＡＣインレットを対象にしたものであるが、２極あるいは他の極数に対しても同様に構成することができる。また、図示されたものは端子がＡＣインレット嵌合面に対して水平に配置されているが、端子をＡＣインレット嵌合面に対して、垂直或いは他の角度をもって配置することも可能である。
図２は、本発明のコネクタ変換器の取付方法を示す斜視図である。図３は、本発明のコネクタ変換器の取付け方法を示す図で、（ａ）は平面図、（ｂ）は正面図、（ｃ）は側面図である。
図２および図３において、機器２はＡＣインレット３を備えた機器であり、通常ＡＣインレット３はフランジに設けられた固定穴によって機器２側にネジ止めされ、固定されている。このネジとスペーサ４ａ及びスペーサ４ｂが置換され、ＡＣインレット３は機器２に固定される。然る後に、コネクタ変換器１がＡＣインレット３に挿入される。スペーサ５ａ及びスペーサ５ｂはコネクタ変換器４の固定穴を貫通し、それぞれスペーサ４ａとスペーサ４ｂにネジ止めされることによりコネクタ変換機１をＡＣインレット３側に固定する。
このように、コネクタ変換器１は強固にネジ止めされるので脱落する危険は全く無い。この段階で、コネクタ変換器１の端子台部の端子には必要に応じて、丸端子その他の端末処理をされた電線が配線される。配線がされた後に、安全のためのカバー６が固定ネジ７ａおよび、固定ネジ７ｂによって、コネクタ変換器１側に固定される。
ここで、ＡＣインレット３には取付のためのネジ穴の付いたフランジがないタイプもあり、この場合は、機器２の筐体に直接、スペーサ４ａとスペーサ４ｂが取付けられることになる。また、カバー６はコネクタ変換器１の端子台部に直接、嵌め込むような構成も可能であり、この場合は固定ネジ７ａおよび固定ネジ７ｂは不要になり、スペーサ５ａとスペーサ５ｂはスペーサである必要は無く、ナベネジ等に置換可能である。
【実施例２】
【０００８】
図４は、本発明のコネクタ変換器を図５の従来例と同様な場合に適用した例である。それぞれ、ＡＣインレットを備えた機器１０１と機器１０２にコネクタ変換器を取り付けて、装置の電源入力部であるＡＣインレット１０６からの配線を、途中に分岐のための端子台やＡＣプラグを設けることなく、直接に行うことができる。中継のためのこれらの部品が不要になり、省スペースな配線が可能になると同時にコネクタ変換器及び配線はネジ止めされるので、信頼性の高い接続が実現できる。また、図示していないが、装置のＡＣインレット１０６においても、本発明のコネクタ変換機を適用することができ、同様の効果を得ることができる。
【図面の簡単な説明】
【０００９】
【図１】ａ、ｂは本発明の第１実施例を示すコネクタ変換器の斜視図である。
【図２】本発明のコネクタ変換器の取付方法を示す斜視図である。
【図３】本発明のコネクタ変換器の取付け方法を示す図で、（ａ）は平面図、（ｂ）は正面図、（ｃ）は側面図である。
【図４】本発明のコネクタ変換器を用いたＡＣインレットを備えた機器への分岐配線を示す模式図である。
【図５】従来のＡＣインレットを備えた機器への分岐配線方法を示す模式図である。
【符号の説明】
【００１０】
１、１０１ｂ、１０２ｂ  コネクタ変換器
１ａ  ＡＣプラグ部
１ｂ  端子台部
１ｃ、１ｄ、１ｅ  端子
１ｆ、１ｇ、１ｈ  電極
１ｉ、１ｊ  固定穴
２、１０１、１０２  機器
３、１０１ａ、１０２ａ、１０６  ＡＣインレット
４ａ、４ｂ、５ａ、５ｂ  スペーサ
６  カバー
７ａ、７ｂ  固定ネジ
１０３、１０４  ＡＣプラグ
１０５  端子台
１０７  ＡＣコードセット
１０８  ＡＣコンセント
１０９  装置
【図１】
2005085561.tif 000003
【図２】
2005085561.tif 000004
【図３】
2005085561.tif 000005
【図４】
2005085561.tif 000006
【図５】
2005085561.tif 000007